(57)【特許請求の範囲】
【請求項１】
少なくとも一の基地局と複数の無線通信端末を含み、複数のキャリアを用いて再送制御を伴う通信を行う無線通信システムの通信制御方法であって、
基地局において、
送信済みデータが存在する無線通信端末に関するデータ復号結果を入手するステップと、
基地局から無線端末装置へ第１のキャリアにより送信済みのデータの再送回数と、前記データ復号結果に基づいて該送信済みデータを前記第１のキャリアで再送するか否かを判断するステップと、
前記再送を行う場合は、再送が必要なデータを前記第１のキャリアにスケジューリングを行い、前記再送が必要なデータを送信待ちデータに含め、再送に係る前記第１のキャリア以外の他のキャリアについて前記送信待ちデータのスケジューリングを行うステップと、
前記再送を行わない場合は、前記第１のキャリアおよび他のキャリアについて送信待ちデータのスケジューリングを行うステップとを有することを特徴とする通信制御方法。
【請求項２】
複数の端末と、複数のキャリアを用いて再送制御を伴う通信を行う無線基地局であって、
複数のキャリア分の信号の受信を行う受信部と、
複数のキャリア分の再送制御及びスケジューリングを行う制御部と、
該再送制御または該スケジューリングされた複数のキャリア分の信号の送信を行う送信部と、を有し、
前記受信部は、送信済みデータが存在する端末からデータ復号結果を受信し、
前記制御部は、
前記データ復号結果と、該送信済みのデータの再送回数とに基づいて、該端末へ該送信済みデータを送信するために用いた第１のキャリアで該送信済みデータを再送するか否かを判断し、
前記再送を行う場合は、再送が必要なデータを前記第１のキャリアにスケジューリングを行い、前記再送が必要なデータを送信待ちデータに含め、前記第１のキャリア以外の他のキャリアについて前記送信待ちデータのスケジューリングを行い、
前記再送を行わない場合は、再送に係る前記第１のキャリアおよび他のキャリアについて送信待ちデータのスケジューリングを行うことを特徴とする無線基地局。
【請求項３】
請求項２に記載の無線基地局であって、前記制御部は、前記受信部で受信される信号を元に各端末に関するキャリア各々についての伝搬路状態を判定し、前記送信待ちデータのスケジューリングにおいて、送信待ちデータのある無線通信端末についての前記キャリアごとの伝搬路状態を用いてスケジューリングを行うことを特徴とする無線基地局。
【請求項４】
請求項３に記載の無線基地局であって、前記受信部は、前記各端末から該端末に関するキャリア各々についての伝搬路状態の判定結果を受信することを特徴とする無線基地局。
【請求項５】
請求項２に記載の無線基地局であって、前記制御部は、前記再送の必要な送信済みデータを送信待ちデータとして扱う際には、前記再送の必要な送信済みデータを優先的に送信用データ候補として選択することを特徴とする無線基地局。
【請求項６】
請求項２に記載の無線基地局であって、前記制御部は、前記再送の必要な送信済みデータを送信待ちデータとして扱う際には、前記再送の必要な送信済みデータを非優先的に送信用データ候補として選択することを特徴とする無線基地局。
【請求項７】
請求項２に記載の無線基地局であって、前記再送されるデータは、送信済みデータのと同じ符号語のうちの同じ又は別の部分であることを特徴とする無線基地局。
【発明の詳細な説明】
【技術分野】
【０００１】
本発明は、マルチキャリアによる無線通信システムの再送制御方法に関するもので、特に移動通信システムに適用して好適である。
【背景技術】
【０００２】
第１図に、一般的なセルラ通信のシステム構成を示す。複数の端末（移動局）１０３、１０４、１０５、１０６が無線を介して基地局１０１、１０２と通信を行い、基地局１０１、１０２は基地局制御局１０７の制御の下、前記端末同士、もしくは、固定網１０８に属する通信機器と通信を確立する。固定網１０８に属する通信機器と通信を確立する場合、所属する全端末の中から一部の端末を選択する。
【０００３】
このような無線通信システムにおいて、基地局におけるスループットを向上させるために、所属する端末の中で通信可能な伝送速度の高いものを優先して選択する手段（スケジューリング)が知られている。例えば、A. Jalali, R. Padovani, and R. Pankaj, "Data throughput of CDMA-HDR a high efficiency-high data personal communication wireless system," IEEE VTC-Spring 2000, Tokyo, Japan, May 2000.（非特許文献１）に、所属する端末各々に測定させた伝搬路状況を受信可能な最大伝送速度という形で通知させ、平均レートとの比が最大の端末を送信対象として決定することにより、端末間の公平性を確保しつつ基地局のスループットを向上させる技術が示されている。
【０００４】
また、時間ダイバーシチの効果を得る方法として、ＡＲＱ（Automatic Repeat reQuest）方式による再送制御を行い、更に過去の同一データの受信結果を利用して復号を行うＨＡＲＱ（Hybrid ARQ）方式が知られている。
【０００５】
これらの方式の組合せにより、端末間の公平性を確保しつつ、各端末との通信は端末の状態に応じた品質の通信を行うことが出来る。例えば3GPP2 C.S0024 Version4.0 "cdma2000 High Rate Packet Data Air Interface Specification" pp.9-62~9-67（非特許文献２）では、伝送速度毎に最大再送回数を設定してＨＡＲＱ通信を行い、再送終了時（最大回数送信終了、もしくは端末側から復号完了の通知を受信）にスケジューリングを行う技術が示されている。
【０００６】
従来技術の制御シーケンスを第２図に示す。まず、基地局は送信対象とする端末に向けて送信データとパイロット信号の時多重信号（２０１）を送信する。端末は該パイロット信号からＳＩＲ（信号対干渉電力比）を算出し（２０２）、ＤＲＣ（そのＳＩＲで受信可能な最大伝送速度の情報）を基地局側へ送信する（２０４）。また、同時に、拡散されたデータの誤り訂正復号を行い（２０３）、誤り検出結果（２０５）を基地局側へ送信する。
【０００７】
結果の送信は受信の３スロット後であるため、誤り訂正復号は３スロット以内に行う。基地局は誤り検出結果を基に再送か新規データ送信かを判断し、新規データ送信時は全端末のＤＲＣを基に送信対象とする端末を決定する（２０６）。
【０００８】
従来技術の基地局におけるデータ送信タイミングを第３図に示す。時刻１で送信したデータ（３０１）に対するデータ復号結果（３０２）は時刻４に受信される。その結果を基にスケジューリング（３０３）の要否を判定し、時刻５の送信データ（３０４）を時刻１で送信したデータ３０１の再送とするか新規データとするかを決定する。
【０００９】
このようにデータ復号結果の返信を待つ必要があり、データの再送は４スロットおきとなる。よって、時刻１におけるデータと時刻２、３、４におけるデータは各々独立に送信可能であるため、基地局は４並列でデータ送信を行う。以降、データ送信タイミング１を例に記述する。タイミング毎の時刻ｔ１−１と絶対時刻との対応は第３図の通りである。
【００１０】
従来技術のスケジューリング動作トリガを第４図に示す。これは時刻ｔ１−４において端末Ａの第１のデータ（以降“Ａ１”と表記）（４０１）の再送が終了（４０２）してスケジューリング（４０３）が行われ、端末Ａが選出され時刻ｔ１−５からデータＡ２（４０４）が送信開始される場合である。前記データ復号結果が復号成功であった場合の他、規定の再送回数を再送終了した場合に４０２が有効となる。
【００１１】
従来技術のスケジューリングは所持データの優先度による選出と評価指標による選出の２段階で行う。第５図は基地局にＡ、Ｂ、Ｃの３端末が所属し、端末Ａは優先度１、２、３のデータを格納するキュー５０１、５０２、５０３各々にデータを持ち、端末Ｂは優先度１、２、３のデータを格納するキュー５０４、５０５、５０６のうち５０６にのみデータを持ち、端末Ｃは優先度１、２、３のデータを格納するキュー５０７、５０８、５０９のうち５０８、５０９にデータを持つ場合の例である。この場合、最も優先度の高い優先度１のキューにデータを持つ端末Ａを送信対象とする。
【００１２】
第６図は基地局にＡ、Ｂ、Ｃの３端末が所属し、端末Ａは優先度１、２、３のデータを格納するキュー５０１、５０２、５０３のうち５０２、５０３にデータを持ち、端末Ｂは優先度１、２、３のデータを格納するキュー５０４、５０５、５０６のうち５０６にのみデータを持ち、端末Ｃは優先度１、２、３のデータを格納するキュー５０７、５０８、５０９のうち５０８、５０９にデータを持つ場合の例である。この場合、最も優先度の高い優先度２のキューにデータを持つ端末ＡとＣのうち、通知する評価指標の高い方の端末を送信対象とする。
【００１３】
従来技術の動作フローチャートを第７図に示す。まず、前回送信したデータに対するデータ復号結果（ステップ７０１）を受信する。ステップ７０１が復号成功であるか、もしくは規定の回数再送を行った場合、スケジューリングの動作トリガを有効とする（ステップ７０２）。ステップ７０２のスケジューリングの動作トリガが有効である場合、所属する全ての端末について、最も優先度の高い送信データの情報と、通知する伝搬路情報を収集する（ステップ７０３）。ステップ７０３の結果より、送信データを持つ端末が存在する（ステップ７０４）場合、最も優先度の高いデータを持つ端末を候補に選出し（ステップ７０５）、ステップ７０３で収集された伝搬路情報から算出した評価指標が最も大きな端末を送信対象とする（ステップ７０６）。送信開始したデータは送信待ちキューから削除し、上位層による再送制御の可能性を考慮して一定時間削除待ちのキューに格納する（ステップ７０７）。
【００１４】
従来方式による端末側無線通信機の構成を第８図に示す。アンテナより受信された信号は無線周波数回路（８０１）にてベースバンド帯域の信号に変換され、該、ベースバンド帯域の信号は、変復調部（８１０）に入力され、復調器（８０２）にて検波等の復調処理が施され、符号化単位毎に誤り訂正復号化器（８０４）にて復号される。なお、誤り訂正復号化器（８０４）にて復号する際には、過去に受信した同一データに関する復調結果を加算して（８０３）随時誤り訂正復号を行う。通信路復号化器８０３にて誤り訂正された結果は誤り検出部（８０５）において誤りを検出し、誤りの有無を受信品質情報として作成する。該、受信品質情報並びに伝搬路情報は、パイロット信号生成部（８０６）で生成されるパイロット信号、並びに誤り訂正符号化器（８０７）にて通信路符号化を受けたデータ信号と変復調部（８１０）の多重化器（８０８）にて符号多重化される。前記、多重された信号は変調器（８０９）にて変調され、無線周波数回路８０１を介して無線伝搬路に送出される。
【００１５】
該、受信側無線通信機から送出された信号は、第９図に示す基地局側無線通信機にて受信される。基地局側無線通信機は復調部（９０６）で全端末分の復調を実行する。８０１、８０２、８０３の動作は端末側無線通信機と同様である。伝搬路情報抽出部（９０４）は前記伝搬路情報を、データ復号結果抽出部（９０５）は前記データ復号結果を各々抽出する。９０６で収集されたデータ復号結果と再送回数管理部（９０７）で管理する再送回数よりスケジューラトリガ作成部（９０８）が動作トリガを作成し、該動作トリガと収集された伝搬路情報より送信データ決定部（９０９）が送信データを決定する。該送信データは削除待ちデータ管理部（９１０）に移されると共に誤り訂正符号化器（９１１）にて通信路符号化を受け、パイロット信号生成部（９１２）で生成されるパイロット信号と多重化器（９１３）にて符号多重化される。前記、多重された信号は変調器（９１４）にて変調され、無線周波数回路（９０１）を介して無線伝搬路に送出される。
【発明の開示】
【００１６】
従来のシステムでは基地局−端末間は単一キャリアを用いて通信を行うことを想定していたが、周波数方向のダイバーシチ効果を考慮すると、同時に複数のキャリアで通信を行うことも有効であると考えられる。現在はそのような複数キャリアのスケジューリングに対応していないという問題がある。
【００１７】
従って、本発明の第一の目的は、複数キャリアを用いた同時通信に対応したスケジューリングと再送制御の方式を提供することである。
【００１８】
利用するキャリア各々について、伝搬路情報及びデータ復号結果の通知を行わせ、再送回数の管理を行うことで、複数キャリアの同時再送制御を行う。
【００１９】
本発明によれば、基地局−端末間で同時に複数のキャリアを用いて通信を行う場合にも、再送制御を含むスケジューリングが可能となる。また、複数キャリアであることの利点を活用し、特定端末の通信品質を向上させることやシステム全体のスループットを向上することが可能となる。
【図面の簡単な説明】
【００２０】
第１図は、一般的なセルラ通信システムの全体の構成図である。
第２図は、従来技術の制御シーケンス図である。
第３図は、従来技術の再送制御周期を示すタイミング図である。
第４図は、従来技術の再送制御におけるスケジューラ動作トリガを示すタイミング図である。
第５図は、従来技術のキュー間の優先度によってスケジューリング候補が絞られる例の図である。
第６図は、従来技術のキュー間の優先度が同じ端末が存在する場合の送信対象決定方法を示す図である。
第７図は、従来技術の動作フローチャートである。
第８図は、従来技術による端末無線通信機の構成例のブロック図である。
第９図は、従来技術による基地局側無線通信機の構成例のブロック図である。
第１０図は、本発明の第１実施形態の制御シーケンス図である。
第１１図は、本発明の第１実施形態によるキャリア毎の再送制御の概念図である。
第１２図は、本発明の第１実施形態によるキャリア毎の送信対象端末決定法を示す図である。
第１３図は、本発明の第１実施形態の動作フローチャートである。
第１４図は、本発明の第１実施形態による再送完了加速方法の概念図である。
第１５図は、本発明の第１実施形態による終端速度加速の例を示した図である。
第１６図は、本発明の第２実施形態の動作フローチャートである。
第１７図は、本発明の第３実施形態の概念図である。
第１８図は、本発明の第３実施形態の動作フローチャートである。
第１９図は、本発明の第１実施形態による端末無線通信機の構成例のブロック図である。
第２０図は、本発明の第１実施形態による基地局無線通信機の構成例のブロック図である。
第２１図は、本発明の第２実施形態による端末側無線通信機の構成例のブロック図である。
第２２図は、本発明の第２実施形態による基地局側無線通信機の構成例のブロック図である。
【発明を実施するための最良の形態】
【００２１】
本発明の実施の形態について図面を参照して説明する。
【００２２】
（第１実施形態）
本発明では、第１図に示す従来と同様のセルラ通信のシステム構成が用いられる。キャリア毎の送信先端末は、従来と同様時刻毎に一つだが、複数キャリアを用いて通信を行う点が従来と異なる。これにより、時刻毎に同時送信可能なデータ量が増加し、その特徴を利用した新たな再送制御が可能となる。
【００２３】
以下、本発明の再送制御アルゴリズムについて説明する。
【００２４】
本発明の第１の方法の制御シーケンスを第１０図に示す。まず、基地局はキャリア各々について、送信対象とする端末に向けてデータとパイロット信号の時多重信号（１００１）を送信する。端末は全てのキャリアについてパイロット信号からＳＩＲ（信号対干渉電力比）を算出し（１００２）、キャリア毎に伝搬路情報を基地局側へ送信する（１００４）。
【００２５】
また、受信データがある端末は、自局宛の受信データが存在するキャリア毎に拡散されたデータの誤り訂正復号を行い（１００３）、データが正しく復号されたか否かを示す各々の誤り検出結果（１００５）を基地局側へ送信する。基地局は、キャリア毎の送信待ちキューに存在するデータのスケジューリング（１００６）において、誤り検出結果が通知されたキャリアについて誤り検出結果を基に再送を行うか新規データを送信するかを判断する。
【００２６】
再送を行うと判断されたキャリアについては、データが正しく復号されなかったことを示す誤り検出結果を通知した端末に向けて復号できなかったデータを再送する。新規データを送信すると判断されたキャリアおよび誤り検出結果が通知されなかったキャリア各々について、全端末のそのキャリアに対する伝搬路情報を指標として送信対象とする端末を決定する。
【００２７】
キャリア毎のスケジューリング（１００６）において行う、第１の方法によるスケジューリング動作の概念を第１１図及び第１２図に示す。
【００２８】
第１１図は、時刻ｔ１−１において、キャリア１、２、３、４、５、６、７、８でそれぞれデータＡ１、Ｂ１、Ｃ１、Ａ２、Ｂ２、Ｃ２、Ａ３、Ｂ３を送信する場合の例である。着色した部分はそのデータ送信の結果、新規データの送信のためのスケジューリングの動作トリガが有効となったキャリアとそのスロットを示し、それ以外のキャリアのスロットについては、次のスロットで再送を行う。
【００２９】
また、第１２図は、時刻ｔ１−１における端末Ａ、Ｂ、Ｃのキャリア１〜８に対する伝搬路情報（１２０１、１２０２、１２０３）を示す。このとき、例えば時刻ｔ１−１ではキャリア２で新規データの送信が決定され（１１０１）、優先度が同じ場合は各端末の伝搬路情報（１２０１、１２０２、１２０３）のうちキャリア２対応部分（１２０４）にのみ注目して端末Ｂをキャリア２の次の送信対象に選出し、時刻ｔ１−２ではデータＢ４の送信を開始する。同様に、時刻ｔ１−２ではキャリア７にのみ注目する。このように、キャリア毎には従来の技術と同じ構成を適用可能である。
【００３０】
本発明の第１の方法の動作フローチャートを第１３図に示す。
【００３１】
まず、キャリア毎の前回の送信データに対するデータ復号結果（ステップ１３０１）を受信する。前述したステップ７０１と同様の基準でキャリア毎に、再送を行うか新規データの送信を行うかを判定する（ステップ１３０２）。
【００３２】
また、全ての端末について、最も優先度が高い送信データの情報と、端末から通知されるキャリア毎の伝搬路情報を収集する（ステップ１３０３）。新規データ送信を行う全てのキャリアについて（ステップ１３０４）、前述したステップ７０４〜７０７と同様の手順で送信対象端末を決定する。従来技術と同様に、送信を開始したデータは一定時間削除待ちのキューに格納する。
【００３３】
このように、従来のスケジューラを並列化する第１の方法によれば、同時に送信可能なデータ数がキャリア数だけ増加するという効果、及び端末毎に伝搬路状況の良いキャリアでの通信が可能となるという効果がある。
【００３４】
次に、キャリア毎のスケジューリング（１００６）の第２の方法を説明する。本発明の第２の方法は、複数キャリアであることを同時伝送にも利用することによりデータの再送完了を加速する。
【００３５】
例えば、第１４図の場合、時刻ｔ１−３終了時点でキャリア３、４、８がスケジューリング可能となり、データＡ１、Ａ３、Ｂ２、Ｂ４、Ｃ２が再送中である。このとき、第１の方法では１７０１のように新規送信データのみをスケジューリング候補とするのに対し、第２の方法では１７０２のように再送が完了していないデータもスケジューリング候補として送信待ちキューに再投入し、別のキャリアを利用して前記再送が完了していないデータを並列送信することにより、完了にかかる時間を短縮する。このとき、新規送信データと再送用データを別々のキューで管理し、再送用データを優先してもよい。
【００３６】
すなわち、ＨＡＲＱが未終端である場合、送信中（選出済み）のデータもスケジューリング対象にする
【００３７】
本発明の第２の方法を利用した再送完了時間短縮の例を第１５図に示す。データＡ１は６回受信した時点で復号完了するデータとする。時刻ｔ１−２からキャリア２を、時刻ｔ１−３から更にキャリア７を利用してデータＡ１が同時伝送されることで、時刻ｔ１−３の時点で６回分の受信が完了し、データＡ１の復号が完了する。よって、従来６スロットであった復号完了までの時間は３スロットに短縮される（１９０３）。
【００３８】
（第２実施形態）
本発明の第２の方法の動作フローチャートを第１６図に示す。１３０１〜１３０４の動作は第１の方法と同様である。スケジューリングの候補となるデータを収集する時に、復号に失敗した（データ復号結果（ステップ１３０１）が復号失敗であった）データのうち、再送回数が複数回残っているものを送信キューに再投入する動作（ステップ２００１）が追加される。スケジューリングの候補に再投入されたデータを加えることにより、データの送信開始から完了までにかかる時間の短縮が可能となる。
【００３９】
第２の方法によれば、全データの再送完了までの所要時間を短縮できるという効果がある。
【００４０】
（第３実施形態）
次に説明する本発明の第３の方法は、キャリアのリソース利用効率の向上を目的とする方法である。第３の方法では、新規送信データが存在しない場合にのみ第２の方法の再投入を行うことで通信リソースの利用効率の向上を図る。
【００４１】
例えば第１７図の場合、時刻ｔ１−２では新規データが存在しない（２１０１）ため再送未完了のデータを再投入し（２１０２）、キャリア７でデータＡ１の並列送信を開始する。対して時刻ｔ１−３では新規データが存在する（２１０３）ためデータの再投入は行われず、キャリア３ではデータＡ４の送信が開始される。
【００４２】
ここで、再投入するデータの決定基準は第２の方法と同様だが、再投入されたデータは新規送信データに対して優先度を下げる必要のある点が異なる。
【００４３】
本発明の第３の方法の動作フローチャートを第１８図に示す。１３０１〜１３０８の動作は第１の方法と同様である。スケジューリングの候補となるデータを収集する時に、データを持つ端末が存在しない場合は復号に失敗したデータを送信キュー再投入する動作（２２０１）が追加される。
【００４４】
（システム構成）
以下、上記アルゴリズムを実施するためのシステム及び装置構成について説明する。
【００４５】
本発明の第１の方法を実施するための第１の端末側無線通信機の構成を第１９図に示す。誤り訂正復号化器８０４、誤り検出部８０５、誤り訂正符号化器８０７、変復調部８１０の動作は従来の構成における端末側無線通信機と同様である。ただし、キャリアが複数になることに伴い、誤り訂正復号化器８０４、誤り検出部８０５、誤り訂正符号化器８０７、変復調部８１０を含む処理系列が、キャリアの数だけ増加する。
【００４６】
アンテナで受信した信号は無線周波数回路１４０１を経てベースバンド信号に変換され、キャリア毎に異なる（系列の処理部に振り分けられ）、その後、従来の構成と同様の手順で誤り訂正復号を含むデータの受信処理が行われる。各キャリアごとに生成されたデータ復号結果と伝搬路情報とは変復調部８１０で符号多重されて変調処理を受け、作成された全キャリア分の変調信号は無線周波数回路（１４０１）で周波数多重されて無線伝搬路に送出される。なお、データ受信がないキャリアについてはデータ復号結果の送信は行わないが、伝搬路情報は全てのキャリアについて送信を行う。
【００４７】
該、受信側無線通信機から送出された信号は、第２０図に示す第１の構成の基地局側無線通信機にて受信される。復調部９０６の動作は従来の構成における基地局側無線通信機と同様であり、受信された信号は無線周波数回路１４０１を経てベースバンド信号に変換され、キャリア毎に異なる復調部９０６によって全端末分の受信データ、伝搬路情報、データ復号結果が出力される。
【００４８】
該、出力を全キャリア分収集し、受信データ（１５０１）、伝搬路情報（１５０２）、データ復号結果（１５０３）を作成し、再送回数管理部（１５０４）の管理するキャリア毎の再送回数とデータ復号結果（１５０３）よりスケジューリング動作トリガ作成部（１５０５）がキャリア毎に動作トリガを設定する。
【００４９】
該動作トリガと伝搬路情報（１５０２）より送信データ決定部（１５０６）がキャリア毎の送信データを決定する。誤り訂正符号化器（１５０８）にて通信路符号化を行い、パイロット信号生成部（１５０９）で生成されるパイロット信号と多重化器（１５１０）にて多重化する。前記、多重された信号は変調器（１５１１）にて変調され、無線周波数回路（１４０１）を介して無線伝搬路に送出される。
【００５０】
送信データ決定部（１５０６）は、次の送信データを送信タイミング毎にキャリア数だけ格納するレジスタと、送信待ちキューに存在するデータを格納するメモリを有し、全キャリア分のスケジューラ動作トリガ及び全端末の全キャリア分の伝搬路情報を基に、次の送信データを決定する機能と決定した送信データを出力する機能を持つ。送信データの決定は、スケジューラ動作トリガが有効であるキャリアについて、送信待ちキューにデータが存在する端末の中から、そのキャリアの伝搬路情報に基づき次に送信先とする端末を決定し、送信データを格納するレジスタのそのキャリアに対応する部分を、該端末の新規送信データに更新することで実現される。送信データの出力は、更新されたレジスタの内容を全キャリア分出力することで実現される。
【００５１】
次に、本発明の第２の方法を実施するための第２の端末側無線通信機の構成を第２１図に示す。無線周波数回路（１４０１）と変復調部（８１０）の動作は第１の構成の端末側無線通信機と同様である。同じデータに対する再送が複数キャリアで同時に行われる可能性があるため、全キャリアの復調結果とプリアンブル情報（１７０１）を基に復調結果の加算（１７０２）と誤り訂正復号（１７０３）を行う点が第１の端末側無線通信機の構成と異なる。この場合、誤り検出部（１７０４）から得られる誤り検出結果（１７０５）は、そのデータに対応する全てのキャリアへの入力とする。
【００５２】
第２の基地局側無線通信機の構成を第２２図に示す。削除待ちデータ管理部（１８０１）、送信データ決定部（１５０６）以外の動作は実施例１の基地局側無線通信機と同様である。削除待ちデータ管理部（１８０１）は、送信データ決定部（１５０６）において送信対象として決定されたデータを、一定時間メモリに格納する機能と、データ復号結果（１５０３）及びキャリア毎の送信中のデータの残り再送回数を入力とし、復号に失敗し且つ再送回数が複数回残っているデータを送信データ決定部（１５０６）の送信キューへ再投入する（１８０２）機能を持つ。
【００５３】
なお、本発明の第３の方法を実施するためには、送信データ決定部（１５０６）の送信キューに新規送信データが存在するか否かを示す情報を、送信データ決定部（１５０６）から削除待ちデータ管理部（１８０１）へ伝える構成とすれば良い。
【００５４】
なお、データの再送方法については、前述した符号語全体を繰り返し送信し、再送により受信側における信号電力を高めることで復号が成功する可能性を高める方法の他、再送時には同じ符号語に属する別のデータを送信し、再送により受信側における符号の冗長性を高めることで復号が成功する可能性を高める方法を用いても良い。この場合、送信局の削除待ちデータ管理部１８０１では送信済みデータが属する符号語を格納し、再送が決定された場合には送信済みデータが属する符号語の同じまたは別の一部を送信データとして出力する。
【００５５】
送信済みデータのデータ復号が成功したことが確認された場合、または再送回数が所定の数に達した場合は、符号語全体を削除待ちデータ管理部１８０１から削除する。
【００５６】
受信局の復調結果加算部１７０２では、再送データとして受信されたデータを受信済みのデータと重ね合わせるのではなく、同じ符号語に属するデータをつなぎ合わせて出力し、誤り訂正復号器１７０３において一まとまりとして復号を行う。
【００５７】
なお、第２の構成において再投入するデータを５０１〜５０３のようなキュー構成において優先度の高いキューに投入することで、再投入データが優先的に送信対象として選択されるようにしても良い。
【００５８】
また、第２の構成において再投入データであるか否かにより評価指標の係数を変更することで、再投入データの評価指標を同キュー内の一般データより大きくすることで、再投入データが優先的に送信対象として選択されるようにしても良い。この際、ＱｏＳ（Quality of Service）保証データであるか否か等により再投入データの間で優先度の差をつけることで、ＱｏＳ保証データが優先的に送信対象として選択されるようにしても良い。
【００５９】
なお、第２の構成において、過去の通信状況を考慮し、再投入データには状況の良いキャリアを優先して利用させることで再投入データの通信品質を優先的に高めても良い。
【産業上の利用可能性】
【００６０】
本発明は、マルチキャリアによる無線通信システムに適用することができる。特に移動通信システムに適用すると好適である。
【図１】
0004809245.tif 000002
【図２】
0004809245.tif 000003
【図３】
0004809245.tif 000004
【図４】
0004809245.tif 000005
【図５】
0004809245.tif 000006
【図６】
0004809245.tif 000007
【図７】
0004809245.tif 000008
【図８】
0004809245.tif 000009
【図９】
0004809245.tif 000010
【図１０】
0004809245.tif 000011
【図１１】
0004809245.tif 000012
【図１２】
0004809245.tif 000013
【図１３】
0004809245.tif 000014
【図１４】
0004809245.tif 000015
【図１５】
0004809245.tif 000016
【図１６】
0004809245.tif 000017
【図１７】
0004809245.tif 000018
【図１８】
0004809245.tif 000019
【図１９】
0004809245.tif 000020
【図２０】
0004809245.tif 000021
【図２１】
0004809245.tif 000022
【図２２】
0004809245.tif 000023